(57)【要約】【課題】電源切断が検出されるとＤｙｉｎｇ  Ｇａｓｐの処理を行ってセンタ側光回線終端装置にこれを通知するＭＳＡインタフェース対応の加入者宅側光回線終端装置を提供する。【解決手段】光ノード２０で電源切断が発生して検出部２７からＯＮＵ１００に電源切断検出信号が出力されると、この信号がＭＳＡインタフェースモジュール１４０を経由して演算処理部１２２に入力される。演算処理部１２２は、光ノード２０から電源切断検出信号を入力すると、以下のＤｙｉｎｇ  Ｇａｓｐの処理を行う。すなわち、光ノード２０で電源切断が発生するとＯＮU１００の電源も間もなく切断されることから、ＯＮU１００の電源が切断されることをセンタ側のＯＬＴ１１に通知するために、演算処理部１２２で所定フォーマットの電源切断通知情報を作成し、これを通信制御部１２１に出力してＯＬＴ１１に伝送させる。【選択図】図１
2010252192.tif 000002
【特許請求の範囲】
【請求項１】
センタ側光回線終端装置に接続されて光信号を電気信号に変換する光／電気変換部及び電気信号を光信号に変換する電気／光変換部を具備する光トランシーバ部と、
前記光トランシーバ部に接続されて前記センタ側光回線終端装置と光ノードとの間で伝送されるデータ信号を終端する通信制御部と、監視・制御を行う演算処理部とを具備する光回線終端装置機能部と、
前記光ノードのＭＳＡ（Multi-Source Agreement）インタフェーススロットに挿入されるＭＳＡインタフェースモジュールと、を備え、
前記ＭＳＡインタフェーススロット及び前記ＭＳＡインタフェースモジュールを経由して前記光ノードから電源が供給され、
外部から前記光ノードに供給されている電源が切断されると、前記光ノードから前記ＭＳＡインタフェーススロット及び前記ＭＳＡインタフェースモジュールを経由して前記演算処理部に電源切断検出信号が出力され、前記演算処理部が所定の電源切断通知信号を作成して前記通信制御部に出力し、前記通信制御部が前記電源切断通知信号を前記データ信号に書き込んで前記電気／光変換部から前記センタ側光回線終端装置に伝送させる
ことを特徴とする加入者宅側光回線終端装置。
【請求項２】
前記電源切断検出信号は、前記ＭＳＡインタフェーススロットと前記ＭＳＡインタフェースモジュールとを接続する所定のピンを経由して前記光ノードから前記演算処理部に出力される
ことを特徴とする請求項１に記載の加入者宅側光回線終端装置。
【請求項３】
前記電源切断検出信号は、前記所定のピンに割り付けられている信号とは異なるインタフェース条件で形成されている
ことを特徴とする請求項２に記載の加入者宅側光回線終端装置。
【請求項４】
前記電源切断検出信号は、”１”と”０”とを所定ビット数だけ交互に繰り返す信号である
ことを特徴とする請求項１乃至３のいずれか１項に記載の加入者宅側光回線終端装置。
【請求項５】
前記電源切断検出信号は、前記所定のピンに割り付けられている信号よりも少ないビット数の”１”からなる信号である
ことを特徴とする請求項２または３に記載の加入者宅側光回線終端装置。
【請求項６】
前記電源切断検出信号は、前記所定のピンに割り付けられている信号よりも少ないビット数の”１”からなる信号と１以上の”０”とを交互に繰り返す信号である
ことを特徴とする請求項２または３に記載の加入者宅側光回線終端装置。
【請求項７】
前記光ノードは、外部の交流電源に接続するための電源ケーブルと、前記交流電源を第１の直流電圧の電源に変換する電源変換アダプタと、前記電源変換アダプタに接続されたダイオードと、前記ダイオードに接続されて前記第１の直流電圧を第２の直流電圧に変換するＤＣ／ＤＣコンバータと、一端が前記ダイオードと前記ＤＣ／ＤＣコンバータとの間に接続され他端が接地されたキャパシタと、前記電源変換アダプタと前記ダイオードとの間の電圧を測定して前記電源変換アダプタからの電源が切断されたことを検出する検出部とを備え、
前記演算処理部は、前記検出部から前記電源切断検出信号を前記ＭＳＡインタフェーススロット及び前記ＭＳＡインタフェースモジュールを経由して入力する
ことを特徴とする請求項１に記載の加入者宅側光回線終端装置。
【請求項８】
前記キャパシタが所定の大きさ以上の静電容量を有し、
少なくとも前記演算処理部が前記電源切断検出信号を入力して前記通信制御部に前記電源切断通知信号を出力し、前記通信制御部が前記電源切断通知信号を前記データ信号に書き込んで前記電気／光変換部から光信号として出力されるまで、前記キャパシタから電源が供給される
ことを特徴とする請求項７に記載の加入者宅側光回線終端装置。
【請求項９】
前記ＭＳＡインタフェーススロットに挿入可能に構成されたＳＦＰ（Small Form-Factor Pluggable）である
ことを特徴とする請求項１乃至８のいずれか１項に記載の加入者宅側光回線終端装置。
【請求項１０】
前記所定のピンは、Disable／Enable信号の伝送用に割り付けられた第３ピンである
ことを特徴とする請求項２乃至６のいずれか１項に記載の加入者宅側光回線終端装置。
【請求項１１】
前記所定のピンは、モード信号の伝送用に割り付けられた第４〜６ピンのいずれか１つである
ことを特徴とする請求項２乃至６のいずれか１項に記載の加入者宅側光回線終端装置。
【発明の詳細な説明】
【技術分野】
【０００１】
本発明は、センタ側光回線終端装置に接続されて光通信を行う加入者宅側光回線終端装置に関し、特に電源が切断されるとＤｙｉｎｇ  Ｇａｓｐの処理を行ってセンタ側光回線終端装置にこれを通知するＭＳＡインタフェース対応の加入者宅側光回線終端装置に関する。
【背景技術】
【０００２】
ＦＴＴＨ、ＣＡＴＶ等の光ネットワークでは、下記の特許文献１に記載されているように、センタに接続される光伝送路を受動型スプリッタで分岐して複数の加入者宅まで光伝送路を敷設するＰＯＮ(Passive Optical Network)型の光伝送システムが使用されている。このような光伝送システムは、ＰＤＳ(Passive Double Star)とも呼ばれる。
【０００３】
従来のＰＯＮ型の光伝送システムの一例を図５に示す。同図に示すＰＯＮ型光伝送システム９００では、センタの光回線終端装置（ＯＬＴ：Optical Line Termination）９０１が光ファイバ９０２を介してスプリッタ９０３の合波端に接続され、スプリッタ９０３の複数の分波端には光ファイバ９０４−１、…９０４−ｎを介して各加入者宅に設置された加入者宅側光回線終端装置（ＯＮＵ：Optical Network Unit）９０５−１、…９０５−ｎが接続される。
【０００４】
ＯＮＵ９０５−１、…９０５−ｎの構成を図６に示す。同図は、一例としてＯＮＵ９０５−１の構成を示しており、ＯＮＵ９０５−１は、光トランシーバ部９０６、ＯＮＵ機能部９０７、シリアル／パラレル変換部（ＳＥＲＤＥＳ）９０８、及びイーサネット（登録商標）インタフェース９０９を備える構成となっている。スプリッタ９０３に接続された光ファイバ９０４−１が、各加入者宅に設けられた光成端ユニット９１０を介して光トランシーバ部９０６に接続されている。
【０００５】
イーサネット（登録商標）インタフェース９０９として、１０／１００／１０００ＢＡＳＥ−ＴＸ等を用いることができ、これに例えばＬＡＮケーブル９１１が接続される。ＬＡＮケーブル９１１には、コンピュータやプリンタ等の端末機器９１４を直接接続することができ、またルータ９１２やスイッチングハブ９１３等の光ノードを接続し、これに別の端末機器９１４を接続することもできる。
【０００６】
インタフェース９０９として、ＭＳＡ（Multi-Source Agreement）インタフェースの規格に対応するＭＳＡインタフェースモジュールを用いた場合には、スイッチ等の光ノードに設けられたＭＳＡインタフェーススロットにＯＮＵ９０５−１を直接接続することが可能となり、ＬＡＮケーブルの接続が不要になって省スペース化が図れるなどの大きな利点がある。このようなＭＳＡインタフェースモジュールを備えたＯＮＵとして、ＳＦＰ（Small Form-Factor Pluggable）が知られている。
【０００７】
従来より、ＭＳＡインタフェースの規格に対応していないデスクトップ型のＯＮＵなどでは、電源供給が切断された場合を故障等が発生した場合と区別してセンタ側に通知できるように、Ｄｙｉｎｇ  Ｇａｓｐの処理が行われているものが知られている。特許文献２では、Ｇ−ＰＯＮに対応したＯＮＵについて、運用中に電源が切断された後、再び電源を供給して再起動するときの処理を簡素化するための技術が記載されている。
【０００８】
電源切断時にＤｙｉｎｇ  Ｇａｓｐの処理を行うように構成されたデスクトップ型のＯＮＵの一例を図７に示す。ＯＮＵ９２０に具備されている電源ケーブル９２１がＡＣ１００Ｖ電源に接続されると、電源変換アダプタ９２２でＡＣ１００ＶからＤＣ５Ｖに変換された直流電源がＯＮＵ９２０に供給される。電源変換アダプタ９２２から供給されたＤＣ５Ｖの電源は、ダイオード９２３を経由してＤＣ／ＤＣコンバータ９２４に入力され、ここでＤＣ３．３Ｖに変換される。ＤＣ３．３Ｖの電源は、ＯＮＵ９２０内の各回路やチップ等に供給されて消費される。ＯＮＵ９２０は、ダイオード９２３、キャパシタ９２５、及び検出部９２６を備えており、電源変換アダプタ９２２を介して外部から供給される電源が切断されると、これを検出部９２６で検出してＤｙｉｎｇ  Ｇａｓｐの処理を行うように構成されている。
【０００９】
電源変換アダプタ９２２からＤＣ５Ｖの電源が供給されると、キャパシタ９２５には静電容量Ｃに比例する大きさの電荷が蓄積される。ＯＮＵ９２０の運用中に電源異常等で電源変換アダプタ９２２からの電源供給が切断されると、キャパシタ９２５に蓄積された電荷が放出されてＯＮＵ９２０内の各回路やチップ等に供給される。キャパシタ９２５から電源ケーブル９２１側にはダイオード９２３が設けられていることから、キャパシタ９２５から放出される電荷は外部に流出せずにＯＮＵ９２０内で消費される。これにより、所定の期間だけＯＮＵ９２０を動作させることが可能となり、その間にＤｙｉｎｇ  Ｇａｓｐの処理が行われる。キャパシタ９２５には大きな静電容量Ｃを有するものを用いるのがよく、これにより外部電源の切断後にＤｙｉｎｇ  Ｇａｓｐの処理を行うための時間を確保することができる。
【００１０】
電源変換アダプタ９２２からの電源が切断されると、Ｄｙｉｎｇ  Ｇａｓｐの処理として、まず検出部９２６が電源切断を検出して電源切断検出信号をＯＮＵ機能部９０７に出力する。ＯＮＵ機能部９０７は、通信制御部９２７及び演算処理部９２８を備えており、検出部９２６から出力された電源切断検出信号は演算処理部９２８に入力される。演算処理部９２８は、電源切断検出信号を入力するとセンタ側に電源切断を通知するための所定フォーマットの電源切断通知信号を作成し、これを通信制御部９２７に出力する。通信制御部９２７は、センタ側のＯＬＴ９０１とＯＮＵ９２０との間で伝送される保守管理用のＯＡＭフレームに演算処理部９２８から入力した電源切断通知信号を書き込む処理を行う。センタ側では、ＯＬＴ９０１で終端処理されたＯＡＭフレームから電源切断通知信号を読み出すことで、ＯＮＵ９２０の電源が切断されたことを知ることができる。
【先行技術文献】
【特許文献】
【００１１】
【特許文献１】特開平９−２１４５４１号公報
【特許文献２】特開２００８−２４４５８３号公報
【発明の概要】
【発明が解決しようとする課題】
【００１２】
しかしながら、Ｄｙｉｎｇ  Ｇａｓｐの処理を実現させるためにはキャパシタが必要となるが、キャパシタは比較的寸法の大きな部品のため、光ノードのＭＳＡインタフェーススロットに挿入して用いるＯＮＵにキャパシタを内蔵させることは、寸法上の制約からきわめて困難であった。すなわち、光ノードのＭＳＡインタフェーススロットに挿入可能な寸法に制約されているＯＮＵでは、静電容量の大きいキャパシタを配置するスペースを確保することができなかった。。そのため、光ノードのＭＳＡインタフェーススロットに挿入して用いるＯＮＵでは、これまでＤｙｉｎｇ  Ｇａｓｐの処理を行うことができなかった。
【００１３】
そこで、本発明はこのような問題を解決するためになされたものであり、電源切断が検出されるとＤｙｉｎｇ  Ｇａｓｐの処理を行ってセンタ側光回線終端装置にこれを通知するＭＳＡインタフェース対応の加入者宅側光回線終端装置を提供することを目的とする。
【課題を解決するための手段】
【００１４】
本発明の加入者宅側光回線終端装置の第１の態様は、センタ側光回線終端装置に接続されて光信号を電気信号に変換する光／電気変換部及び電気信号を光信号に変換する電気／光変換部を具備する光トランシーバ部と、前記光トランシーバ部に接続されて前記センタ側光回線終端装置と光ノードとの間で伝送されるデータ信号を終端する通信制御部と、監視・制御を行う演算処理部とを具備する光回線終端装置機能部と、前記光ノードのＭＳＡ（Multi-Source Agreement）インタフェーススロットに挿入されるＭＳＡインタフェースモジュールと、を備え、前記ＭＳＡインタフェーススロット及び前記ＭＳＡインタフェースモジュールを経由して前記光ノードから電源が供給され、外部から前記光ノードに供給されている電源が切断されると、前記光ノードから前記ＭＳＡインタフェーススロット及び前記ＭＳＡインタフェースモジュールを経由して前記演算処理部に電源切断検出信号が出力され、前記演算処理部が所定の電源切断通知信号を作成して前記通信制御部に出力し、前記通信制御部が前記電源切断通知信号を前記データ信号に書き込んで前記電気／光変換部から前記センタ側光回線終端装置に伝送させることを特徴とする。
【００１５】
本発明の加入者宅側光回線終端装置の他の態様は、前記電源切断検出信号は、前記ＭＳＡインタフェーススロットと前記ＭＳＡインタフェースモジュールとを接続する所定のピンを経由して前記光ノードから前記演算処理部に出力されることを特徴とする。
【００１６】
本発明の加入者宅側光回線終端装置の他の態様は、前記電源切断検出信号は、前記所定のピンに割り付けられている信号とは異なるインタフェース条件で形成されていることを特徴とする。
【００１７】
本発明の加入者宅側光回線終端装置の他の態様は、前記電源切断検出信号は、”１”と”０”とを所定ビット数だけ交互に繰り返す信号であることを特徴とする。
【００１８】
本発明の加入者宅側光回線終端装置の他の態様は、前記電源切断検出信号は、前記所定のピンに割り付けられている信号よりも少ないビット数の”１”からなる信号であることを特徴とする。
【００１９】
本発明の加入者宅側光回線終端装置の他の態様は、前記電源切断検出信号は、前記所定のピンに割り付けられている信号よりも少ないビット数の”１”からなる信号と１以上の”０”とを交互に繰り返す信号であることを特徴とする。
【００２０】
本発明の加入者宅側光回線終端装置の他の態様は、前記光ノードは、外部の交流電源に接続するための電源ケーブルと、前記交流電源を第１の直流電圧の電源に変換する電源変換アダプタと、前記電源変換アダプタに接続されたダイオードと、前記ダイオードに接続されて前記第１の直流電圧を第２の直流電圧に変換するＤＣ／ＤＣコンバータと、一端が前記ダイオードと前記ＤＣ／ＤＣコンバータとの間に接続され他端が接地されたキャパシタと、前記電源変換アダプタと前記ダイオードとの間の電圧を測定して前記電源変換アダプタからの電源が切断されたことを検出する検出部とを備え、前記演算処理部は、前記検出部から前記電源切断検出信号を前記ＭＳＡインタフェーススロット及び前記ＭＳＡインタフェースモジュールを経由して入力することを特徴とする。
【００２１】
本発明の加入者宅側光回線終端装置の他の態様は、前記キャパシタが所定の大きさ以上の静電容量を有し、少なくとも前記演算処理部が前記電源切断検出信号を入力して前記通信制御部に前記電源切断通知信号を出力し、前記通信制御部が前記電源切断通知信号を前記データ信号に書き込んで前記電気／光変換部から光信号として出力されるまで、前記キャパシタから電源が供給されることを特徴とする。
【００２２】
本発明の加入者宅側光回線終端装置の他の態様は、前記ＭＳＡインタフェーススロットに挿入可能に構成されたＳＦＰ（Small Form-Factor Pluggable）であることを特徴とする。
【００２３】
本発明の加入者宅側光回線終端装置の他の態様は、前記所定のピンは、Disable／Enable信号の伝送用に割り付けられた第３ピンであることを特徴とする。
【００２４】
本発明の加入者宅側光回線終端装置の他の態様は、前記所定のピンは、モード信号の伝送用に割り付けられた第４〜６ピンのいずれか１つであることを特徴とする。
【発明の効果】
【００２５】
本発明によれば、電源切断が検出されるとＤｙｉｎｇ  Ｇａｓｐの処理を行ってセンタ側光回線終端装置にこれを通知するＭＳＡインタフェース対応の加入者宅側光回線終端装置を提供することが可能となる。
【図面の簡単な説明】
【００２６】
【図１】第１の実施形態に係る加入者宅側光回線終端装置、及びこれを接続する光ノードの概略構成を示すブロック図である。
【図２】本実施形態の加入者宅側光回線終端装置が接続される光伝送システムの構成を示すブロック図である。
【図３】ＭＳＡインタフェースの各ピンに割り付けられた信号を説明する説明図である。
【図４】光ノードと加入者宅側光回線終端装置に供給される電源、Disable／Enable信号、及び光信号の変化を示す説明図である。
【図５】従来のＰＯＮ型の光伝送システムの概略構成を示すブロック図である。
【図６】従来の加入者宅側光回線終端装置の概略構成を示すブロック図である。
【図７】電源切断時にＤｙｉｎｇ  Ｇａｓｐの処理を行うように構成された従来のデスクトップ型の加入者宅側光回線終端装置の概略構成を示すブロック図である。
【発明を実施するための形態】
【００２７】
本発明の好ましい実施の形態における加入者宅側光回線終端装置の構成について、図面を参照して以下に詳細に説明する。なお、同一機能を有する各構成部については、図示及び説明簡略化のため、同一符号を付して示す。本発明の加入者宅側光回線終端装置は、光ノードとのインタフェースとしてＭＳＡインタフェースモジュールを備えており、光ノードのＭＳＡインタフェーススロットに挿入して用いられるものである。このようなＭＳＡインタフェースモジュールを備えた加入者宅側光回線終端装置としてＳＦＰが知られており、以下では本発明の加入者宅側光回線終端装置をＳＦＰとした実施形態について説明する。
【００２８】
本発明の第１の実施の形態に係る加入者宅側光回線終端装置（ＯＮＵ）を、図１、２を用いて説明する。図１は、本実施形態のＯＮＵ１００とこれを接続する光ノード２０の構成を示すブロック図であり、図２は、ＯＮＵ１００が接続されている光伝送システム１０の構成を示すブロック図である。光伝送システム１０は、ＯＬＴ１１が光ファイバ１２で光カプラ１３に接続され、光カプラ１３で分岐された複数の光ファイバ１４−１〜ｎ（ｎは自然数）のそれぞれにＯＮＵ１５−１〜ｎが接続される構成となっている。本実施形態のＯＮＵ１００は、ＯＮＵ１５−１〜ｎに用いることができる。一例として、光ノード２０がＭＳＡインタフェーススロット２１を備えるものとし、これに接続されるＯＮＵ１５−１に本実施形態のＯＮＵ１００が用いられるものとする。
【００２９】
ＭＳＡインタフェーススロット２１を備えた光ノード２０として、Ｌ２スイッチやＤＳＬＡＭ（Digital Subscriber Line Access Multiplexer）等がある。光ノード２０は、例えば複数のポートを有してパーソナルコンピュータ等の端末機器３０を接続することが可能である。光ノード２０を動作させるのに必要な電源は、電源ケーブル２２を経由してＡＣ（交流）１００Ｖの電源を受電し、これを電源変換アダプタ２３で例えばＤＣ（直流）５Ｖに変換して供給される。電源変換アダプタ２３から供給されるＤＣ５Ｖの電源は、光ノード２０内でＤＣ／ＤＣコンバータ２５によりさらにＤＣ３．３Ｖに変換されて用いられる。
【００３０】
光ノード２０のＭＳＡインタフェーススロット２１に挿入して用いられる本実施形態のＯＮＵ１００は、必要な電源がＭＳＡインタフェーススロット２１及びＭＳＡインタフェースモジュール１４０を介して光ノード２０から供給される構成となっており、これによりＯＮＵ１００に給電するための電源ケーブルが不要な構成となっている。光ノード２０からＯＮＵ１００に供給される電源は、ＤＣ／ＤＣコンバータ２５でＤＣ３．３Ｖに変換された電源がＭＳＡインタフェーススロット２１及びＭＳＡインタフェースモジュール１４０を介して供給される。
【００３１】
本実施形態のＯＮＵ１００は、必要な電源が上記のように光ノード２０から供給される構成となっていることから、ＯＮＵ１００の電源切断は光ノード２０からの給電が停止されたときに発生する。また、光ノード２０からＯＮＵ１００への給電が停止されるのは、光ノード２０が故障した場合を除くと、電源ケーブル２２から光ノード２０への給電が停止されたときである。これより、ＯＮＵ１００においてＤｙｉｎｇ  Ｇａｓｐの処理が必要となるのは、光ノード２０が電源ケーブル２２から給電されなくなり、その結果光ノード２０からＯＮＵ１００への給電が停止されたときである。
【００３２】
そこで、本実施形態では、電源ケーブル２２から光ノード２０への電源供給が切断されたことを光ノード２０で検出させるようにし、ＯＮＵ１００が光ノード２０から電源切断の通知を受けるとＤｙｉｎｇ  Ｇａｓｐの処理を行うように構成されている。光ノード２０は、ＯＮＵ１００でＤｙｉｎｇ  Ｇａｓｐの処理が可能となるように、ダイオード２４、キャパシタ２６、及び検出部２７を備えている。電源変換アダプタ２３から供給されるＤＣ５Ｖの電源は、ダイオード２４を経由してＤＣ／ＤＣコンバータ２５に供給される。また、キャパシタ２６は大きな静電容量Ｃを有しており、一端がダイオード２４とＤＣ／ＤＣコンバータ２５との間に接続され、他端が接地されている。さらに、検出部２７は、電源変換アダプタ２３から供給されるＤＣ５Ｖの電源が切断されたことを検出するために、ダイオード２４より上流側（電源変換アダプタ２３側）の電圧を測定している。
【００３３】
光ノード２０を上記のように構成することにより、電源変換アダプタ２３からＤＣ５Ｖの電源が供給されているときには、キャパシタ２６には静電容量Ｃに比例する大きさの電荷が蓄積されている。光ノード２０及びＯＮＵ１００の運用中に、電源ケーブル２２がコンセントから抜ける等により電源変換アダプタ２３からＤＣ５Ｖの電源が供給されなくなると、それと同時にキャパシタ２６に蓄積されていた電荷が放出されて光ノード２０内の回路等に供給される。キャパシタ２６から電源ケーブル２２側にはダイオード２４が設けられていることから、キャパシタ２６から放出される電荷は外部に流出せずに光ノード２０内に供給される。また、キャパシタ２６から放出されるた電荷の一部がＯＮＵ１００にも供給される。その結果、光ノード２０及びＯＮＵ１００は、電源供給が停止されてから所定の期間（以下では、Ｄｙｉｎｇ  Ｇａｓｐ処理期間ＴＤとする）だけ動作することができる。
【００３４】
Ｄｙｉｎｇ  Ｇａｓｐ処理期間ＴＤにおいて、光ノード２０では検出部２７が電源変換アダプタ２３から供給されていたＤＣ５Ｖの電源が切断されたことを検出する。電源切断を検出すると、検出部２７はＭＳＡインタフェーススロット２１の所定のピンを用いてＯＮＵ１００に電源切断検出信号を出力する。ＯＮＵ１００では、光ノード２０から電源切断検出信号が入力されると、所定のＤｙｉｎｇ  Ｇａｓｐ処理を行ってＯＬＴ１１に電源が切断されたことを通知する。このようなＤｙｉｎｇ  Ｇａｓｐ処理を行うのに十分な電源を確保するために、キャパシタ２６には大きな静電容量Ｃを有するものを用いるのがよい。
【００３５】
本実施形態のＯＮＵ１００は、光トランシーバ部１１０、光回線終端装置機能部（以下ではＯＮＵ機能部と記す）１２０、シリアル／パラレル変換部（ＳＥＲＤＥＳ）１３０、及びＭＳＡインタフェースモジュール１４０を備えている。光トランシーバ部１１０は、電気／光変換部（Ｔｘ部）１１１、光／電気変換部（Ｒｘ部）１１２及び光合分波部１１３を備えており、センタ側のＯＬＴ１１との間で光ファイバ１２、１４及び光カプラ１３を介して光信号を送受信する。
【００３６】
また、ＯＮＵ機能部１２０は、センタ側のＯＬＴ１１と加入者宅側の光ノード２０との間で伝送されるデータ信号の終端処理等を行う通信制御部１２１と、ＯＮＵ１００の監視・制御等を行う演算処理部１２２を備えている。通信制御部１２１は、半導体チップを用いて処理させるようにすることができ、演算処理部１２２は、演算処理装置（ＣＰＵ）またはロジック回路を用いて処理させることができる。ＯＬＴ１１と光ノード２０との間で伝送されるデータ信号は、光トランシーバ部１１０、ＯＮＵ機能部１２０、シリアル／パラレル変換部１３０、及びＭＳＡインタフェースモジュール１４０を経由して双方向に伝送される。
【００３７】
光ノード２０で電源切断が発生して検出部２７からＯＮＵ１００に電源切断検出信号が出力されると、この信号がＭＳＡインタフェースモジュール１４０を経由して演算処理部１２２に入力される。演算処理部１２２は、光ノード２０から電源切断検出信号を入力すると、以下のようなＤｙｉｎｇ  Ｇａｓｐの処理を行う。すなわち、光ノード２０で電源切断が発生するとＯＮU１００の電源も間もなく切断されることから、ＯＮU１００の電源が切断されることをセンタ側のＯＬＴ１１に通知するために、演算処理部１２２で所定フォーマットの電源切断通知情報を作成し、これを通信制御部１２１に出力する。信制御部１２１は、Ｄｙｉｎｇ  Ｇａｓｐピン１２１ａを有しており、演算処理部１２２からＤｙｉｎｇ  Ｇａｓｐピン１２１ａを介して電源切断通知情報が入力される。
【００３８】
ＯＬＴ１１とＯＮＵ１００との間で伝送される光信号には、センタ側からＯＮＵ１００を監視制御するためのデータを格納するのに用いるＯＡＭフレームが設けられている。通信制御部１２１は、演算処理部１２２から電源切断通知信号が入力されると、ＯＬＴ１１への上り信号のＯＡＭフレーム内に電源切断通知情報を書き込み、これをＴｘ部１１１で光信号に変換してＯＬＴ１１に送信する。ＯＬＴ１１は、ＯＮＵ１００から伝送された光信号のＯＡＭフレームから電源切断通知情報を読み込むことで、ＯＮＵ１００の電源が間もなく切断されることを知ることができる。このＯＡＭフレームを有する光信号は、ミリ秒オーダの頻度でＯＬＴ１１とＯＮＵ１００との間で伝送されている。そのため、電源切断通知情報をＯＬＴ１１に確実に伝送するためには、Ｄｙｉｎｇ  Ｇａｓｐ処理期間がミリ秒オーダ以上の長さとなるように、所定値以上の静電容量Ｃのキャパシタ２６を用いる必要がある。
【００３９】
上記説明のように、本実施形態のＯＮＵ１００では、光ノード２０からＭＳＡインタフェーススロット２１及びＭＳＡインタフェースモジュール１４０を介して演算処理部１２２が電源切断検出信号を入力するように構成されている．しかしながら、ＭＳＡインタフェースの規格では、インタフェースのいずれのピンも、電源切断検出信号を伝送するのに用いるように規定されてはいない。ＭＳＡインタフェースの規格では、インタフェースの各ピンが図３に示す各信号を伝送するように割り付けられている。
【００４０】
そこで、本実施形態のＯＮＵ１００及び光ノード２０では、図３に示したＭＳＡインタフェースの各ピンのうち、光トランシーバ部１１０からの光信号を出力させるか停止させるかを選択するDisable／Enable信号の伝送に割り当てられた第３ピン、またはモード信号の伝送に割り当てられた第４〜６ピンのいずれかを用いて電源切断検出信号を伝送させるようにしている。それとともに、電源切断検出信号の伝送に用いられるピンが本来伝送している信号と、検出部２７から出力される電源切断検出信号とが、明確に区別可能となるように電源切断検出信号の信号パターンを形成している。以下では、電源切断検出信号の伝送に用いるピンを第３のピンとした場合を例に、電源切断検出信号の伝送方法について説明する。また、モード信号の伝送に割り当てられた第４〜６ピンを用いる場合でも、第４〜６ピンの本来伝送している信号とは明確に区別可能な信号となるように電源切断検出信号の信号パターンを形成することで伝送可能である。
【００４１】
ＭＳＡインタフェースの第３ピンは、Disable／Enable信号の伝送に割り当てられており、Disable／Enable信号が光ノード２０から第３ピンを経由して演算処理部１２２に伝送され、さらに演算処理部１２２から光トランシーバ部１１０のＴｘ部１１１に出力されている。Ｔｘ部１１１は、Disable／Enable信号がロー（Disable信号としてオフでありEnable信号としてはオン）でかつ通信制御部１２１からデータ信号が送出されたときにＯＬＴ１１側に光信号を出力する。一方、Disable／Enable信号がハイ（Disable信号としてオンでありEnable信号としてはオフ）、あるいは通信制御部１２１からデータ信号が送出されないときには、Ｔｘ部１１１は光信号を出力しない。
【００４２】
本実施形態のＯＮＵ１００を接続した光ノード２０に、電源ケーブル２２及び電源変換アダプタ２３を経由して電源が正常に供給されているとき、及び電源供給が途中で切断されたときのDisable／Enable信号と光信号の変化の一例を、図４を用いて説明する。以下では、電源変換アダプタ２３から光ノード２０に供給される電源の電圧をＶｈとし、ＤＣ／ＤＣコンバータ２５からＯＮＵ１００に供給される電源の電圧をＶｓとする。図４では、電圧Ｖｈ、Ｖｓをそれぞれ（ａ）、（ｂ）に示し、Disable／Enable信号及び光信号をそれぞれ（ｃ）、（ｄ）に示している。
【００４３】
ＯＮＵ１００が光ノード２０のＭＳＡインタフェーススロット２１に挿入され、その後電源ケーブル２２がＡＣ１００Ｖの電源に接続されると、光ノード２０に供給される電圧Ｖｈは正常時の電圧値（５Ｖ）となり（図４（ａ））、ＯＮＵ１００に供給される電圧Ｖｓも正常時の電圧値（３．３Ｖ）となる（図４（ｂ））。また、光ノード２０に電源が供給されて所定の初期化が行われると、光ノード２０からＯＮＵ１００に出力されるDisable／Enable信号が、図４（ｃ）に示すように、ハイからローに変化する。その後、光ノード２０からＯＮＵ１００にデータ信号が出力される度に、これが通信制御部１２１で終端処理されて光トランシーバ部１１０のＴｘ部１１１から光信号２ａとして出力される（図４（ｄ））。図４（ｄ）に示す光信号２ａは、光ノード２０及びＯＮＵ１００に電源が正常に供給されている間、ミリ秒オーダ程度の頻度で出力されている。
【００４４】
光ノード２０で故障等の異常が発生した場合や、光ノード２０から光出力を停止する信号がＯＮＵ１００に入力される場合には、図４（ａ）の符号１ａで示すように、Disable／Enable信号がローからハイに変化する。Ｔｘ部１１１は、光ノード２０から入力するDisable／Enable信号がハイになると、通信制御部１２１からデータ信号を入力しても光信号を出力しない。その後、光ノード２０が正常状態に復帰してDisable／Enable信号がハイからローに復帰すると、再びＴｘ部１１１から光信号２ａが出力されるようになる。なお、光ノード２０において異常検出時や、光ノード２０からの光出力停止信号がＯＮＵ１００に入力された場合にDisable／Enable信号をローからハイに変更したり、正常に復帰したときにDisable／Enable信号をハイからローに変更する処理は、検出部２７で行うようにしてもよく、あるいは図示しない別の処理部で行わせるようにしてもよい。
【００４５】
光ノード２０に正常に電源が供給されている状態から瞬時に切断された場合には、電圧Ｖｈが急速に０Ｖに低下する。これに対し、光ノード２０からＯＮＵ１００に供給される電源の電圧Ｖｓは、Ｄｙｉｎｇ  Ｇａｓｐ処理期間ＴＤだけほぼ正常な電圧値が維持された後に０Ｖに低下する。これは、光ノード２０に電源が供給されている間にキャパシタ２６に所定量の電荷が蓄積されており、電源が切断された後に蓄積された電荷が放出されてＤｙｉｎｇ  Ｇａｓｐ処理期間ＴＤだけ電圧Ｖｓが維持されることによるものである。Ｄｙｉｎｇ  Ｇａｓｐ処理期間ＴＤは、光ノード２０の少なくとも検出部２７が正常に動作することができる期間であり、かつＯＮＵ１００も正常に動作することができる期間である。検出部２７で電圧Ｖｈが低下して電源変換アダプタ２３からの電源供給が切断されたことを検出すると、ＭＳＡインタフェースの第３ピンを介して演算処理部１２２に電源切断検出信号１ｂが出力される。
【００４６】
本実施形態では、Disable／Enable信号の伝送に割り当てられているＭＳＡインタフェースの第３ピンを用いて電源切断検出信号１ｂを検出部２７から演算処理部１２２に伝送させている。そのため、演算処理部１２２がＭＳＡインタフェースの第３ピンから入力した信号が、光ノード２０の異常を示すDisable／Enable信号１ａか、あるいは検出部２７から出力された電源切断検出信号１ｂかを区別できるようにする必要がある。光ノード２０の異常を示すDisable／Enable信号１ａには、所定ビット長の”１”（ハイ）からなる信号が用いられており、この信号が出力されると、演算処理部１２２でDisable／Enable信号がハイであると判定している。
【００４７】
そこで、本実施形態では、電源切断検出信号１ｂを”１” （ハイ）と”０” （ロー）を交互に繰り返す所定ビット数の信号としている。このように形成された電源切断検出信号１ｂは、上記のDisable／Enable信号１ａと容易に区別可能なことから、演算処理部１２２は、ＭＳＡインタフェースの第３ピンから入力した信号が電源切断検出信号１ｂであると判定すると、所定の電源切断通知信号を作成して通信制御部１２１に出力する。通信制御部１２１は、演算処理部１２２から入力した電源切断通知信号を、次にＯＬＴ１１に送信するデータ信号のＯＡＭフレームに書き込み、このデータ信号を光トランシーバ部１１０に出力する。Ｔｘ部１１１が演算処理部１２２からDisable／Enable信号として入力する信号は、電源切断検出信号の出力後に再び信号値がローのDisable／Enable信号に戻っていることから、Ｔｘ部１１１は通信制御部１２１から入力した電源切断通知信号を含むデータ信号を光信号２ｂに変換してＯＬＴ１１に出力する。
【００４８】
検出部２７からＭＳＡインタフェースの第３ピンを介して演算処理部１２２に出力される電源切断検出信号の別の実施形態として、光ノード２０の異常を示すDisable／Enable信号よりも少ないビット数の”１”からなる信号を用いることも可能である。例えば、電源切断検出信号を”１”を１回だけで形成した信号とすることでも可能である。この場合、演算処理部１２２において、ＭＳＡインタフェースの第３ピンから入力する信号の”１”のビット数から、Disable／Enable信号か、あるいは電源切断検出信号かを判定させるようにすることができる。このように電源切断検出信号を形成することでも、Disable／Enable信号と容易に区別することが可能となる。
【００４９】
電源切断検出信号のさらに別の実施形態として、上記の別の実施形態と同様にDisable／Enable信号よりも少ないビット数の”１”からなる信号と１以上の”０”とを交互に繰り返す信号を電源切断検出信号に用いることも可能である。この場合でも、演算処理部１２２で電源切断検出信号をDisable／Enable信号と区別して判定することが可能となる。
【００５０】
上記の通り、いずれの実施形態の電源切断検出信号を用いても、本発明のＯＮＵで電源切断の発生を判定してセンタ側のＯＬＴに通知することが可能となる。本発明によれば、上記実施形態のように、電源切断が発生したときにＤｙｉｎｇ  Ｇａｓｐの処理を行ってセンタ側光回線終端装置にこれを通知するＭＳＡインタフェース対応の加入者宅側光回線終端装置を提供することが可能となる。これにより、ＯＮＵの異常が、故障等によるものか、単に電源が切断されただけなのかをセンタ側で区別することが可能となる。
【００５１】
なお、本実施の形態における記述は、本発明に係る加入者宅側光回線終端装置の一例を示すものであり、これに限定されるものではない。本実施の形態における加入者宅側光回線終端装置の細部構成及び詳細な動作等に関しては、本発明の趣旨を逸脱しない範囲で適宜変更可能である。
【符号の説明】
【００５２】
１０      光伝送システム
１１      ＯＬＴ
１２      光ファイバ
１３      光カプラ
１４      光ファイバ
１５      ＯＮＵ
２０      光ノード
２１      ＭＳＡインタフェーススロット
２２      電源ケーブル
２３      電源変換アダプタ
２４      ダイオード
２５      ＤＣ／ＤＣコンバータ
２６      キャパシタ
２７      検出部
３０      端末機器
１００    ＯＮＵ
１１０    光トランシーバ部
１１１    電気／光変換部
１１２    光／電気変換部
１１３    光合分波部
１２０    光回線終端装置機能部
１２１    通信制御部
１２２    演算処理部
１３０    シリアル／パラレル変換部
１４０    ＭＳＡインタフェースモジュール
【図１】
2010252192.tif 000003
【図２】
2010252192.tif 000004
【図３】
2010252192.tif 000005
【図４】
2010252192.tif 000006
【図５】
2010252192.tif 000007
【図６】
2010252192.tif 000008
【図７】
2010252192.tif 000009